(57)【要約】【課題】  雪崩が防護柵の高さを超える程に堆積しようとした場合又は防護柵の耐荷重以上に荷重されようとした場合でも防護機能を維持でき、しかも再利用できる可倒式落下物防護装置を提供する。【解決手段】  擁壁３上の防護柵６をワイヤー７で係留したアンカー８で斜面１と反対する側へ傾倒可能に立設状態を保持し、雪崩Ｓの堆積量が防護柵６の高さを超える前か又は防護柵６の耐荷重を超える前にワイヤー７が切断して保持が解除されるようにし、立設状態の保持が解除されて傾倒した防護柵６を略水平以上に傾倒しないように支持するストッパー４ｃを台座４に設けた。【選択図】図１
2008019594.tif 000002
【特許請求の範囲】
【請求項１】
地盤の斜面を滑落して擁壁を超えようとする落下物から道路又は線路を擁壁上に立設した防護柵で防護する落下物防護装置であって、前記防護柵をワイヤーで係留したアンカーで斜面と反対する側へ傾倒可能に立設状態を保持し、落下物の堆積量が防護柵の高さを超える前か又は防護柵の耐荷重を超える前にワイヤー及びアンカーによる保持が解除されるようにし、立設状態の保持が解除されて傾倒した防護柵を略水平以上に傾倒させないように支持するストッパーを設けたことを特徴とする、可倒式落下物防護装置。
【請求項２】
ワイヤー及びアンカーによる保持の解除が、ワイヤーの切断又は地盤からのアンカーの抜出によるものである、請求項１記載の可倒式落下物防護装置。
【請求項３】
防護柵の傾倒構造が、防護柵の基端部に回転軸を長手方向に沿って形成し、同回転軸を回動可能に支承する軸受部を備えた台座を擁壁上に設けたもので、ストッパーが、前記台座の上面に傾倒した防護柵の板面と当接できる平坦部を形成したものである、請求項１又は２記載の可倒式落下物防護装置。
【請求項４】
防護柵の回転軸と台座の軸受部との間に摩擦抵抗を備えたシューを介装した、請求項３記載の可倒式落下物防護装置。
【発明の詳細な説明】
【技術分野】
【０００１】
本発明は、道路や線路を雪崩から防護する落下物防護装置に関する。
【背景技術】
【０００２】
従来の防護柵が特許文献１に開示されている。この技術は、擁壁上に複数の支柱を所定間隔おいて立設し、各支柱間に防護ネットを張設したものである。ところで、雪崩は頻度や規模を事前に予想することが困難であり、大規模な雪崩で防護柵の高さを超えるか又は耐荷重以上の荷重で破損すると、雪が道路や線路に落下して重大事故を招く恐れがあった。また、破損した場合は廃棄処分して新しい防護柵を設置し直す必要があり、設置コストがかかっていた。
【特許文献１】特開２００３−３４２５号公報
【発明の開示】
【発明が解決しようとする課題】
【０００３】
本発明が解決しようとする課題は、従来のこれらの問題点を解消し、落下物が防護柵の高さを超える程に堆積しようとした場合又は防護柵の耐荷重以上に荷重されようとした場合でも防護機能を維持でき、しかも再利用できる可倒式落下物防護装置を提供することにある。
【課題を解決するための手段】
【０００４】
かかる課題を解決した本発明の構成は、
１）  地盤の斜面を滑落して擁壁を超えようとする落下物から道路又は線路を擁壁上に立設した防護柵で防護する落下物防護装置であって、前記防護柵をワイヤーで係留したアンカーで斜面と反対する側へ傾倒可能に立設状態を保持し、落下物の堆積量が防護柵の高さを超える前か又は防護柵の耐荷重を超える前にワイヤー及びアンカーによる保持が解除されるようにし、立設状態の保持が解除されて傾倒した防護柵を略水平以上に傾倒させないように支持するストッパーを設けたことを特徴とする、可倒式落下物防護装置
２）  ワイヤー及びアンカーによる保持の解除が、ワイヤーの切断又は地盤からのアンカーの抜出によるものである、前記１）記載の可倒式落下物防護装置
３）  防護柵の傾倒構造が、防護柵の基端部に回転軸を長手方向に沿って形成し、同回転軸を回動可能に支承する軸受部を備えた台座を擁壁上に設けたもので、ストッパーが、前記台座の上面に傾倒した防護柵の板面と当接できる平坦部を形成したものである、前記１）又は２）記載の可倒式落下物防護装置
４）  防護柵の回転軸と台座の軸受部との間に摩擦抵抗を備えたシューを介装した、前記３）記載の可倒式落下物防護装置
にある。
【発明の効果】
【０００５】
本発明によれば、落下物が防護柵の高さを超える程に堆積しようとした場合又は防護柵の耐荷重以上に荷重されようとするとワイヤーの切断又はアンカーの抜出で立設状態の保持が解除され、防護柵が落下物の荷重で斜面と反対する側へ傾倒し、ストッパーで防護柵が略水平状態に支持されて落下物は防護柵上を通過する。したがって、傾倒した防護柵直下の道路や線路に落下物が落下することはなく、自動車や鉄道車両は安全に走行でき、しかも、落下物を除去した後は防護柵を元の姿勢に戻してワイヤー及びアンカーで立設状態を保持できるから、新しい防護柵を設置し直すことなく低コストで再利用できる。
【発明を実施するための最良の形態】
【０００６】
本発明では、防護柵の回転軸と台座の軸受部との間には摩擦抵抗を備えたゴム等のシューを介装すると、シューの摩擦抵抗により防護柵の急激な回動を防止してストッパーと接触する際の衝撃を緩和できる。また、ワイヤーの切断又はアンカーの抜出を検知して遠隔地へ警報する警報手段を設けてもよい。以下、本発明の実施例を図面に基づいて具体的に説明する。
【実施例１】
【０００７】
図１，２に示す実施例は、道路の擁壁に本発明の可倒式落下物防護装置を設置した雪崩防止柵の例である。図１は実施例の可倒式落下物防護装置の断面図、図２は実施例の可倒式落下物防護装置の使用状態を示す説明図である。図中、１は斜面、２は道路、３は擁壁、４は台座、４ａは軸受部、４ｂはシュー、４ｃはストッパー、４ｄは固定具、４ｅはボルト、５は浮き上がり防止アンカー、６は防護柵、６ａは支柱部、６ｂは回転軸、７はワイヤー、８はアンカー、９は河川、Ｇは地盤、Ｓは雪崩である。
【０００８】
本実施例の可倒式落下物防護装置は、図１に示すように道路２の擁壁３上にコンクリートからなる台座４を浮き上がり防止アンカー５で地盤Ｇに強固に埋設している。台座４には上方が開放された軸受部４ａを長手方向に沿って形成し、軸受部４ａの内面にゴム製のシュー４ｂを取り付けている。台座４の道路２側には軸受部４ａの中心位置よりやや下方に平坦部を形成し、防護柵６の板面と当接して略水平状態に支持するストッパー４ｃとしている。台座４の斜面１側は軸受部４ａの中心位置から上部を切欠し、切欠した部分を固定具４ｄとしてボルト４ｅで脱着できるようにし、シュー４ｂの交換等の整備ができるようにしている。
【０００９】
防護柵６は板状の鋼製で、複数の支柱部６ａを所定間隔をおいて形成し、支柱部６ａの基端部に断面半円状の回転軸６ｂを形成している。防護柵６の高さは道路２の幅員と略同じか又はやや短く形成するが、少なくとも防護柵６が略水平状態となった場合にその上面を通過した雪崩Ｓが道路２に落下しない長さとする。防護柵６は必要に応じて複数体が長手方向に沿って並設される。
【００１０】
この防護柵６の回転軸６ｂを台座４の軸受部４ａにシュー４ｂを介して配置し、固定具４ｄをボルト４ｅで固定して取り付ける。ボルト４ｅは浮き上がり防止アンカー５に螺着する。防護柵６の通し孔（図示せず）にはワイヤー７を挿通してアンカー８を係留し、アンカー８を斜面１側の地盤Ｇに埋設してワイヤー７を緊張する。ワイヤー７は、雪崩Ｓの堆積量が防護柵６の高さを超える前の状態における荷重又は防護柵６の耐荷重を超える直前の荷重が作用すると切断される引っ張り強度のものを用いている。
【００１１】
本実施例では、図２（ａ）に示すように雪崩Ｓが発生して斜面１と防護柵６との間に堆積する。雪崩Ｓの堆積量が防護柵６の高さを超える前の状態における荷重又は防護柵６の耐荷重を超える直前の荷重が作用すると、図２（ｂ）に示すようにワイヤー７の途中が切断して防護柵６が雪崩Ｓの荷重で道路２側へ傾倒し、防護柵６の板面が台座４のストッパー４ｃと当接して防護柵６が略水平状態に支持される。このとき、シュー４ｂの摩擦抵抗により防護柵６の急激な回動を防止してストッパー４ｃと接触する際の衝撃が緩和される。その後、雪崩Ｓは水平となった防護柵６の上面を通過して対向する河川９に落下し、道路２や走行中の自動車に雪が落下することはない。
【００１２】
雪崩Ｓが止むと、防護柵６上の雪や斜面１の雪を除雪し、防護柵６を斜面１側へ回動して垂直に立て、新しいワイヤー７に係留したアンカー８を地盤Ｇに埋設して立設状態を保持する。このように、本実施例によれば防護柵６を略水平に傾倒させて雪崩Ｓが上面を通過できるようにしたから、大規模な雪崩Ｓでも道路２に雪が落下することがなく自動車は安全に走行でき、しかも、雪崩Ｓを除雪した後は防護柵６を元の姿勢に立設してワイヤー７とアンカー８で立設状態を保持することで、新しい防護柵６を設置し直すことなく低コストで再利用できるようになった。
【産業上の利用可能性】
【００１３】
本発明の可倒式落下物防護装置は、道路・線路・建築物等を雪崩・落石等から防護する用途に利用される。
【図面の簡単な説明】
【００１４】
【図１】実施例の可倒式落下物防護装置の断面図である。
【図２】実施例の可倒式落下物防護装置の使用状態を示す説明図である。
【符号の説明】
【００１５】
１  斜面
２  道路
３  擁壁
４  台座
４ａ  軸受部
４ｂ  シュー
４ｃ  ストッパー
４ｄ  固定具
４ｅ  ボルト
５  浮き上がり防止アンカー
６  防護柵
６ａ  支柱部
６ｂ  回転軸
７  ワイヤー
８  アンカー
９  河川
Ｇ  地盤
Ｓ  雪崩
【図１】
2008019594.tif 000003
【図２】
2008019594.tif 000004